【手続補正書】
【提出日】平成22年3月10日(2010.3.10)
【手続補正１】
【補正対象書類名】特許請求の範囲
【補正対象項目名】全文
【補正方法】変更
【補正の内容】
【特許請求の範囲】
【請求項１】
一方向にノズル列として並ぶ複数のインクジェットノズルと、
前記複数のインクジェットノズルにそれぞれ連通し互いに隔壁を介して隣接する複数のインク室と、
前記複数のインク室を各々前記ノズル列に沿って連続的な所定数のインク室からなる複数のインク室グループに区画し、各インク室グループに含まれる前記所定数のインク室を時分割で駆動する分割駆動において、駆動すべきインク室の隔壁を変形させてインク吐出圧力を得るインク吐出機構とを備え、
前記ノズル列の２つの最外郭インク室グループの各インクジェットノズルから吐出されるインクの量が、該最外郭インク室グループよりも内側のインク室グループのインクジェットノズルから吐出されるインクの平均量と等価となるように、各最外郭インク室グループの前記所定数のインクジェットノズルが、それぞれ異なるノズル径を有することを特徴とするインクジェットヘッド。
【請求項２】
前記インク吐出機構は前記複数のインク室の隔壁として設けられる電歪部材で構成されることを特徴とする請求項１に記載のインクジェットヘッド。
【請求項３】
各隔壁はこの隔壁を介して隣接するインク室にそれぞれ配置される一対の電極に接合されることを特徴とすることを特徴とする請求項２に記載のインクジェットヘッド。
【請求項４】
各最外郭インク室グループの前記所定数のインクジェットノズルが前記ノズル列の一端または他端として形成された第１インクジェットノズル、前記第１インクジェットノズルの隣に形成された第２インクジェットノズル、および前記第２インクジェットノズルの隣に形成された第３インクジェットノズルで構成され、前記第１インクジェットノズルのノズル径、前記第２インクジェットノズルのノズル径、および前記第３インクジェットノズルのノズル径が、前記内側のインク室グループのインクジェットノズルのノズル径の+４％、−４％、および−５％にそれぞれ設定されることを特徴とする請求項１に記載のインクジェットヘッド。
【請求項５】
前記複数のインクジェットノズル、前記複数のインク室および前記インク吐出機構を一体化した構造を各々有する第１および第２ヘッドモジュールと、前記第１および第２ヘッドモジュールを支持する支持板とを備え、前記第１および第２ヘッドモジュールは互いに前記複数のインクジェットノズルの１／２ピッチだけずれるようにして前記支持板の一方および他方の表面に固定されることを特徴とする請求項１に記載のインクジェットヘッド。
【請求項６】
前記複数のインクジェットノズル、前記複数のインク室および前記インク吐出機構を一体化した構造を各々有する複数のヘッドモジュールと、前記複数のヘッドモジュールを支持する支持板とを備え、前記複数のヘッドモジュールは部分的にオーバラップさせて交互に前記支持板の一方および他方の表面に固定されることを特徴とする請求項１に記載のインクジェットヘッド。
【請求項７】
前記一方の表面上の１ヘッドモジュールの１最外郭インク室グループの前記所定数のインクジェットノズルと、前記他方の表面上の１ヘッドモジュールの１最外郭インク室グループの前記所定数のインクジェットノズルとが、前記一方向のノズル位置を互いに整合させてオーバラップすることを特徴とする請求項６に記載のインクジェットヘッド。
【請求項８】
前記複数のインクジェットノズル、前記複数のインク室および前記インク吐出機構を一体化した構造を各々有する複数のヘッドモジュールと、前記複数のヘッドモジュールを支持する支持板とを備え、前記複数のヘッドモジュールは部分的にオーバラップさせて交互に前記支持板の一方および他方の表面に固定され、前記一方の表面上の１ヘッドモジュールの１最外郭インク室グループの前記所定数のインクジェットノズルと、前記他方の表面上の１ヘッドモジュールの１最外郭インク室グループの所定数のインクジェットノズルとが、前記一方向のノズル位置を互いに整合させてオーバラップすることを特徴とする請求項１に記載のインクジェットヘッド。
【請求項９】
各ヘッドモジュールにおいて、前記ノズル列の他端側に配置された最外郭インク室グループの前記所定数のインクジェットノズルが、インク滴を吐出する必要のないダミーノズルに設定されることを特徴とする請求項８に記載のインクジェットヘッド。
【請求項１０】
一方向にノズル列として並ぶ複数のインクジェットノズルと、
前記複数のインクジェットノズルにそれぞれ連通し互いに隔壁を介して隣接する複数のインク室と、
前記複数のインク室を各々前記ノズル列に沿って連続的な所定数のインク室からなる複数のインク室グループに区画し、各インク室グループに含まれる前記所定数のインク室を時分割で駆動する分割駆動において、駆動すべきインク室の隔壁を変形させてインク吐出圧力を得るインク吐出機構とを備えたインクジェットヘッドを用いるインクジェット方法であって、
前記ノズル列の２つの最外郭インク室グループの各インクジェットノズルから吐出されるインクの量が、該最外郭インク室グループよりも内側のインク室グループのインクジェットノズルから吐出されるインクの平均量と等価となるように、各最外郭インク室グループの前記所定数のインクジェットノズルを、それぞれ異なるノズル径とすることを特徴とするインクジェット方法。
【請求項１１】
各最外郭インク室グループの前記所定数のインクジェットノズルが前記ノズル列の一端または他端として形成された第１インクジェットノズル、前記第１インクジェットノズルの隣に形成された第２インクジェットノズル、および前記第２インクジェットノズルの隣に形成された第３インクジェットノズルで構成され、前記第１インクジェットノズルのノズル径、前記第２インクジェットノズルのノズル径、および前記第３インクジェットノズルのノズル径が前記内側のインク室グループのインクジェットノズルのノズル径の+４％、−４％、および−５％にそれぞれ設定されることを特徴とする請求項１０に記載のインクジェット方法。
【手続補正２】
【補正対象書類名】明細書
【補正対象項目名】００１０
【補正方法】変更
【補正の内容】
【００１０】
本発明の第１観点によれば、一方向にノズル列として並ぶ複数のインクジェットノズルと、前記複数のインクジェットノズルにそれぞれ連通し互いに隔壁を介して隣接する複数のインク室と、前記複数のインク室を各々前記ノズル列に沿って連続的な所定数のインク室からなる複数のインク室グループに区画し、各インク室グループに含まれる前記所定数のインク室を時分割で駆動する分割駆動において、駆動すべきインク室の隔壁を変形させてインク吐出圧力を得るインク吐出機構とを備え、前記ノズル列の２つの最外郭インク室グループの各インクジェットノズルから吐出されるインクの量が、該最外郭インク室グループよりも内側のインク室グループのインクジェットノズルから吐出されるインクの平均量と等価となるように、各最外郭インク室グループの前記所定数のインクジェットノズルが、それぞれ異なるノズル径を有するインクジェットヘッドが提供される。
【手続補正３】
【補正対象書類名】明細書
【補正対象項目名】００１１
【補正方法】変更
【補正の内容】
【００１１】
本発明の第２観点によれば、前記複数のインク室を各々前記ノズル列に沿って連続的な所定数のインク室からなる複数のインク室グループに区画し、各インク室グループに含まれる前記所定数のインク室を時分割で駆動する分割駆動において、駆動すべきインク室の隔壁を変形させてインク吐出圧力を得るインク吐出機構とを備えたインクジェットヘッドを用いるインクジェット方法であって、
前記ノズル列の２つの最外郭インク室グループの各インクジェットノズルから吐出されるインクの量が、該最外郭インク室グループよりも内側のインク室グループのインクジェットノズルから吐出されるインクの平均量と等価となるように、各最外郭インク室グループの前記所定数のインクジェットノズルを、それぞれ異なるノズル径とするインクジェット方法が提供される。
【手続補正４】
【補正対象書類名】明細書
【補正対象項目名】００１２
【補正方法】変更
【補正の内容】
【００１２】
複数のインク室を所定数のインク室からなる複数のインク室グループに区画し、各インク室グループについてインク室を時分割で駆動するインクジェットヘッドにおいて、プリントされたドットのドット径を均一にすることで、ドット径の相違による濃度差が生じなくなる。従って、プリント媒体をノズル列に直交するフィード方向にフィードして得られたプリント結果の画像の片側においてストリークを目立たなくすることができる。